(57)【要約】【課題】様々な大きさ帳票類が混在した場合でも、１部ずつ確実に装置内に取り込み、情報読取り処理の後、帳票の先端側を揃えて集積が可能な帳票類処理装置の提供。【解決手段】大きさの異なる複数の用紙からなる帳票類８を積層させた状態で支持するバックアップ板８４と、前記帳票類８を前記給紙台の供給面８６上で移動させるための供給用ベルト１５と前記帳票類８を前記給紙台から搬送路に取り込む取出し部と、取り込まれた前記帳票類について必要な情報の読取り処理を行う読取り部と、前記搬送路を経て搬送された前記帳票類を集積する集積部とを備え、前記集積部は、集積ポケット６と、この集積ポット６の上面側搬送路に設けられ、前記帳票類８の搬送速度と同じ速度で回転する複数の穴を設けた穴付き平ベルト６９，７２，７５と、この穴付き平ベルトを介して前記帳票類を吸着させる吸着手段とを具備することを特徴とする帳票類処理装置。【選択図】　図３
2004115227.tif 000002
【特許請求の範囲】
【請求項１】
大きさの異なる複数の用紙からなる帳票類が載置される給紙台と、
この給紙台の供給面に対して角度を有して設けられ、前記帳票類を積層させた状態で支持するバックアップ板と、
前記帳票類を前記給紙台の供給面上で移動させるために設けられる供給用ベルトと
前記帳票類を前記給紙台から搬送路に取り込む取出し部と、
取り込まれた前記帳票類について必要な情報の読取り処理を行う読取り部と、
前記搬送路を経て搬送された前記帳票類を集積する集積部とを備え、
前記集積部は、
集積ポケットと、
この集積ポットの上面側搬送路に設けられ、前記帳票類の搬送速度と同じ速度で回転する複数の穴を設けた穴付き平ベルトと、
この穴付き平ベルトを介して前記帳票類を吸着させる吸着手段と、
を具備することを特徴とする帳票類処理装置。
【請求項２】
前記吸着手段は、複数のファンと、前記穴付き平ベルトと前記ファンとの間に配置され、前記穴付き平ベルトの穴径とほぼ同じ幅の長穴形状の穴を有するマスクとを備えたことを特徴とする請求項１に記載の帳票類処理装置。
【請求項３】
前記集積ポケットの上面側搬送路で吸着搬送される前記帳票類の通過を検知する検知手段と、この検知手段の検知結果に基づいて前記帳票類を吸着状態から放し前記集積ポケットに集積するために設けられるレバーとをさらに具備したことを特徴とする請求項１又は請求項２のいずれか一項に記載の帳票類処理装置。
【請求項４】
前記帳票類に対し、前記集積部に入る手前の搬送路上で、前記用紙の折り畳みによる折り目を解消するための上下対の押し付け部材をさらに備えたことを特徴とする請求項１乃至３のいずれか一項に記載の帳票類処理装置。
【請求項５】
所定の大きさを越える用紙を含む前記帳票類に対しては、他の帳票類とは別の集積ポケットに集積するようにしたことを特徴とする請求項１乃至４のいずれか一項に記載の帳票類処理装置。
【請求項６】
前記取出し部は少なくとも一対の取出しローラ列を有し、前記帳票類の押し付けに対して、前記取出しローラ列がその帳票類に倣うように揺動する量を検出可能なセンサと、このセンサにより検出された情報に応じて前記供給ベルトおよび前記バックアップ板の移動を制御する第１の制御手段とをさらに具備したことを特徴とする請求項１乃至５のいずれか一項に記載の帳票類処理装置。
【請求項７】
前記取出しローラ列の上流側に設けられ、給紙される前記帳票類の取り込み時の姿勢に倣いながら押し付けを行う補助ローラと、この補助ローラが前記帳票類の姿勢に倣うように揺動する量を検出可能なセンサと、このセンサにより検出された情報に基づいて前記供給ベルトおよび前記バックアップ板を制御する第２の制御手段とをさらに備えたことを特徴とする請求項６に記載の帳票類処理装置。
【請求項８】
前記取出し部において前記帳票類が同時に複数取込まれるのを防ぐために前記給紙台の供給面に補助分離機構を設けたことを特徴とする請求項１乃至７のいずれか一項に記載の帳票類処理装置。
【請求項９】
前記バックアップ板の表面に傾斜を持った形状の部材を取付けたことを特徴とする請求項１乃至請求項８のいずれか一項に記載の帳票類処理装置。
【発明の詳細な説明】
【０００１】
【発明の属する技術分野】
本発明は、各種伝票、レセプト、申込書等の帳票類を処理するための帳票類処理装置に関する。
【０００２】
【従来の技術】
帳票類処理装置は、近年、文字認識技術の向上により使用される用途が増えている。例えば、銀行、官公庁を始め様々な分野で使用する各種伝票、申込書等の帳票は、従来は処理する人が帳票の内容をコンピュータに入力して所定の処理を行っていた。しかしながら、最近では例えば特開平１１−１７７７８４号公報に示すように光学的文字認識装置すなわちＯＣＲ（Ｏｐｔｉｃａｌ　Ｃｈａｒａｃｔｅｒ　Ｒｅａｄｅｒ）を用いて帳票上の文字が読み取られ、コンピュータ内に取り込まれ、読み取った文字が認識され、この認識された文字をもとに様々な処理を行っている。
【０００３】
以下、図１０を用いて従来の帳票類処理装置について説明する。
【０００４】
帳票類処理装置２０１は帳票２０２が載置されるベース２０３、ホッパー２０４、取出しローラ２０５，２０６、セパレータ２０７、テンションローラ２０８、ドライブローラ２０９、光源２１０，２１１、リフレクタ２１２、折り返しミラー２１４，２１５、レンズ２１６、ＣＣＤセンサ２１７、搬送路２１８、ＣＣＤセンサ２１９、ドットプリンタヘッド２２０、インクリボン２２１、プラテン２２２とスタッカ２２３とからなる。
【０００５】
帳票２０２が積層された帳票束は、ホッパー２０４に取付けられた上下にスライドするベース２０３に載置されている。ベース２０３は、帳票２０２が取出されていくに従って上方に移動するような機構になっている。
【０００６】
束の一番上の帳票２０２は、ゴム等の材質を持つ取出しローラ２０５，２０６が時計回りに回転することにより、一枚づつ取出されていく。
【０００７】
取出しローラ２０５，２０６によって帳票２０２が複数枚取出された場合には、セパレータ２０７で二枚目以降の帳票２０２が一枚目の帳票２０２と一緒に取出されることを防ぐ。
【０００８】
取出された帳票２０２は、図中矢印方向に搬送され、一対のローラすなわちテンションローラ２０８と、図示しないモータにつながれたドライブローラ２０９との間で搬送力を受けながら一定速度で搬送される。この一対のローラ２０８，２０９は搬送路２１８の全域にわたって複数対設けられている。
【０００９】
帳票２０２が読み取り部Ａに到達すると、帳票２０２表面に表示される情報の読み取りを開始する。読み取り方法は光源２１０，２１１から照射された光をリフレクタ２１２で読み取り部Ａに集光させ、Ａの位置にある帳票２０２の文字に光が照射されると、帳票２０２からの反射光は折り返しミラー２１４，２１５で折り返されて、レンズ２１６を通りＣＣＤセンサ２１７で結像される。光源２１０，２１１からＣＣＤセンサ２１７までの光路を光路２１３とする。
【００１０】
ＣＣＤセンサ２１７で読み取られた帳票２０２の情報は、図示しないコンピュータに取込まれ文字の認識が行われデータ処理される。
【００１１】
上記一連の動作は帳票２０２を移動させながら連続して行われる。また帳票２０２表面の情報を読み取る際は通常縮小光学系が用いられる。
【００１２】
読み取り部Ａを通過した帳票２０２が読み取り部Ｂに到達すると、帳票２０２裏面の情報の読み取りを開始する。
【００１３】
読み取り部Ｂでは、縮小光学系が入るスペースがないため密着型のラインＣＣＤセンサ２１９が用いられる。帳票２０２裏面の情報を読み取る必要がない場合は、密着型のラインＣＣＤセンサ２１９は不要である。
【００１４】
読み取り部Ｂを通過した帳票２０２は、搬送路２１８に沿って搬送される。搬送路２１８によって搬送される帳票２０２は、該帳票２０２から情報を読み取ったことを示す印がプリンタにより記録される。プリンタは、ドットプリンタヘッド２２０と、インクリボン２２１と、プラテン２２２とから構成される。
【００１５】
インクリボン２２１とプラテン２２２との間にある帳票２０２に、所定の文字例えば受付番号または使用者固有の番号などが印字される。印字が終了した帳票２０２は、矢印の方向に搬送されスタッカ２２３に送られる。
【００１６】
この様な動作を帳票２０２がベース２０３からなくなるまで連続して行われて、読み取り、印字が終了した帳票２０２はスタッカ２２３に集積される。
【００１７】
【特許文献１】
特開平１１−１７７７８４号公報（第２−５頁、第２図）
【００１８】
【発明が解決しようとする課題】
しかしながら、上述のような構成をした従来の帳票処理装置には以下のような問題があった。すなわち、例えば医療機関等で発行され健康保険組合等に治療費の請求をする書類である診療報酬明細書（レセプト）を上記装置で取り扱う場合、単票帳票の場合は問題ないが、レセプト帳票には様々な形態・種類が存在し、単票帳票に続紙と呼ばれる一回り小さな用紙が複数枚添付されている帳票が数多くあり、続紙の添付位置や長さの違いも様々にあり、これら続紙付帳票類を１枚ずつ重送せずに、あるいはジャムらずに装置内に取り込んで、情報読取り処理の後、きれいに取り込み順番どおりに揃えて集積することは非常に困難であった。
【００１９】
そこで、本発明は上記従来の問題点に鑑みてなされたもので、大きさが異なる様々な形態の続紙付帳票が混在していても、１部ずつジャムらずに装置内に取り込み、確実に帳票の先端側で揃えて集積できる帳票処理装置の提供を目的とする。
【００２０】
【課題を解決するための手段】
上記目的を達成するために、本発明では、大きさの異なる複数の用紙からなる帳票類が載置される給紙台と、この給紙台の供給面に対して角度を有して設けられ、前記帳票類を積層させた状態で支持するバックアップ板と、前記帳票類を前記給紙台の供給面上で移動させるために設けられる供給用ベルトと前記帳票類を前記給紙台から搬送路に取り込む取出し部と、取り込まれた前記帳票類について必要な情報の読取り処理を行う読取り部と、前記搬送路を経て搬送された前記帳票類を集積する集積部とを備え、前記集積部は、集積ポケットと、この集積ポットの上面側搬送路に設けられ、前記帳票類の搬送速度と同じ速度で回転する複数の穴を設けた穴付き平ベルトと、この穴付き平ベルトを介して前記帳票類を吸着させる吸着手段と、を具備することを特徴とする帳票類処理装置を提供する。
【００２１】
【発明の実施の形態】
以下、本発明の実施の形態について、図面を参照しながら説明する。
【００２２】
図１は、本発明の第１の実施形態に関するものである。図１において、１は帳票処理装置であるＯＣＲスキャナ本体であり、２は供給ユニット装置、３、４、５はＡ３サイズ以下の帳票の集積部、６はＡ３サイズ以上の帳票の集積部である。
【００２３】
供給ユニット装置２には帳票８が載置されており、これらの帳票は様々な大きさの単票の帳票、あるいは種々の位置に続紙が添付されている帳票が、それぞれ種類ごとあるいは混在して載置されている。
【００２４】
続紙付き帳票は、図２に示すように医療機関、薬局等で治療に要した、検査、手術、投薬等の治療に要した明細が表紙に記入してある。治療の項目や日数が多い場合は、詳細な内容を表紙に添付するようになっており、この添付したものを続紙といい糊付けあるいはホチキス止めしてある。９０はＡ４単票のレセプトであり、９２が続紙、９４は続紙を糊付けしている部分、９５はホチキスである。９３は続紙添付禁止領域でこの部分は表紙１枚の紙厚になっている。図２に示したのはほんの一例であり、実際にはこの続紙付き帳票は、医療機関の違いや患者の疾病の程度により、続紙の添付される位置や量が一定ではなく、無数のパターンが存在することになる。
【００２５】
これらの帳票を１枚あるいは１部づつ取出す場合、レセプト帳票には続紙添付禁止領域が設けてあるため、この領域にローラ等を押し付けて取出しを行う。通常、帳票の搬送方向は処理速度を高くするために短手方向に通紙する。例えばＡ４サイズの場合、２１０ｍｍの長さ方向に通紙する。
【００２６】
以下、帳票の取出し、読取り、集積について説明する。図１の供給ユニット装置２を構成する給紙台の供給面８６には供給ベルト群１５および捌きベルト群１６がそれぞれ複数列設けてある。捌きベルト群１６は供給ベルト群１５とは異なる速度で動作するようになっている。まず、バックアップユニット８４を取出し部と反対方向に移動させる。この場合、つまみ１４を矢印ｋ方向に動かすと供給ベルト１５に接しているローラ８５が上がるようになっており、この状態でバックアップユニット８４を図１の右方向に移動させる。バックアップユニット８４は、ボールブッシュと案内シャフト１２により、図１の矢印ｌ方向に直線的に移動可能になっている。また、バックアップ板１３は給紙台の供給面に対して角度を有して設けられている。
【００２７】
バックアップユニット８４は、つまみ１４を離すとその位置で止まるような構造になっているため、この状態で複数枚の帳票８を、供給ユニット装置２の供給面８６に載置する。図示しないモータで駆動される供給ベルト群１２は、供給面８６に複数切り込みを入れた部分に設置できるようになっており、供給ベルト群１５上面の高さ方向の位置関係は供給面８６より高くなるように取付けてある。これにより、帳票８を供給面８６にある供給ベルト群１５上に載置することができる。
【００２８】
次に再度つまみ１４を矢印ｋ方向と反対方向に移動させロックを解除すると、ローラ８５が供給ベルト群１５と接触する。従って、バックアップユニット８４を積層された複数の帳票８の後方から取出し部方向に移動させ任意な位置でつまみ１４を離すと、ローラ８５が供給ベルト群１５と接触するためその位置での保持が可能となる。この状態で供給ベルト群１５を動作させると、バックアップユニット８４は供給ベルト群１５と同じ速度で取出し部方向に移動する。
【００２９】
供給ベルト群１５の取出し部側には、図示しないモータにより供給ベルト群１５の送り速度と異なる速度、例えば速い速度で動作される捌きベルト群１６が設けられている。これは取出し直前で帳票８を取出しやすいように捌きの効果をもたせるためである。
【００３０】
帳票８の最上面が矢印ａ方向に回転する１次取出しローラ対９に接触すると、取出しが開始される。１次取出しローラ対９は、タンミングベルトにより２つのローラを同時に駆動できるとともに、帳票８の押し付けに対して、ローラ対９がその帳票８に倣うように揺動する構造になっている。取出された帳票は、矢印ｂ方向に回転する２次取出しローラ対１０により分離部へ搬送される。２次取出しローラ対１０は、タンミングベルトにより２つのローラを同時に駆動できる構造になっている。分離部は２次取出しローラ対１０の一方および分離ベルト１１からなり、分離ベルト１１は２次取出しローラ対１０の回転方向と反対に任意の速度で回転するようになっている。この構成において、分離部に複数枚の帳票が搬送された場合でも一番上の帳票から１枚づつ分離させることができる。１枚づつ取出された帳票は、搬送ローラ対１７、１８以降のローラにより搬送部へ送られ、さらに読取り部へ送られる。読取りは、光電センサ８９をレセプト帳票先端が通過したことを検知してから搬送速度を考慮した所定の時間経過後に行われる。読取り部は、帳票の表面および裏面を読取るため２箇所設けてある。搬送されてきた帳票８は、蛍光灯ユニット１９、２４により光が照射されこの反射光が反射ミラー２０、２１および２５、２６により光路２２、２７を折り曲げた後、ＣＣＤセンサ２３、２８により読取りを行い文字認識が行われる。
【００３１】
次に、帳票の読取りを終了したことを示す識別番号等を印字するためのナンバリング動作を行う。ナンバリングも表面、裏面両方行う場合があるため、２箇所設けてある。３３、３６はドットプリンタヘッド、３４、３７はインクリボンカセット、３５、３８はプラテンであり、それぞれ搬送しながら印字を行うようになっている。ナンバリングを終えた帳票８は、集積部へ送られる。ここではナンバリング動作にドットプリンタを用いる例で示してあるが、他の印字方式、例えばインクジェット方式等を用いてもよい。
【００３２】
ナンバリング動作が終了した帳票は、光電センサ１００により図示しないソレノイドやモータで駆動されるゲート３９の動作タイミングを検知して所定の搬送路７３、７６に振り分ける。搬送路７６にはＡ３サイズ以下の帳票が主に振り分けられ、さらに光電センサ４３によりゲート４４の動作タイミングを検知して搬送路４５、４６に振り分ける。搬送路４５に入った帳票は集積ポケット３に集積されるが、この際光電センサ４７により図示しないソレノイドやモータで駆動される叩きレバー５５の動作タイミングを検知して帳票の後端を叩くようにしてある。これは、次に搬送されてくる帳票の先端が前の帳票の後端と衝突しないようにするためである。集積ポケット３には帳票の量を検知するセンサが内蔵されている帳票フル検知レバー５６が設けられており、帳票が集積ポケット３の容量に近くなると検知レバー５６が上方に押し上げられ、図示しないセンサにより検知して、このポケットに帳票を集積しないような制御を行うようになっている。搬送路４６に振り分けられた帳票は搬送路ゲート４８により搬送路４９、５０に振り分けられ、それぞれ集積ポケット４、５に集積されることになる。集積ポケット４、５内の動作は集積ポケット３と同様である。即ち、光電センサ５８、５１は上記した光電センサ４７に、叩きレバー６１、６６は上記した叩きレバー５５に、帳票フル検知レバー６２、６７は上記した帳票フル検知レバー５６にそれぞれ対応する。
【００３３】
搬送路７３に振り分けられた帳票は、光電センサ４０によりゲート４１の動作タイミングを検知して搬送路４２、８０に振り分けられる。搬送路４２は図示しないソータに集積される帳票が振り分けられる。ソータは一連に複数のポケットがあり、複数連設置される。ソータに振り分けられる帳票は主に、Ａ４サイズ以下の単票や搬送方向長さが２５０ｍｍ以下の帳票である。搬送路８０に振り分けられるのはＡ３サイズ以上の帳票であり長尺帳票（図２参照）と呼んでいる。長尺帳票８３は長尺用取出し部７から手差しで取り込み読取りを行うようになっている。
【００３４】
長尺帳票用集積部６の動作方法を、図３を用いて説明する。長尺帳票用集積部６は、続紙を含めた最大長さが１ｍあるため、これが入る大きさにしてある。長尺集積部には穴付き平ベルトとファンを組合せた帳票吸着部が設けてある。例えば、穴付き平ベルト６９にはファン７０が４個取付けてあり、これを奥行き方向に３列設け帳票幅に対応させることにより吸着させるようにしてある。さらにこの３列の帳票吸着部を帳票の搬送方向に３組設けることにより、長尺帳票に対応できるようにしてある。Ｈ部の拡大図からわかるように、帳票吸着部は吸着力を効率良く出すために、ファン７０にはマスク９８を接触して設けてある。このマスク９８には、穴付き平ベルト６９の穴径とほぼ同じ幅の長穴９９が開けてある。このマスク９８に穴付き平ベルト６９が接触しながら矢印ｇ方向に回転するため、穴付き平ベルトに帳票が吸着しながら搬送されることになる。従って、長尺帳票８３は次の矢印ｈ方向に回転する穴付き平ベルト７２、およびその次の矢印ｉ方向に回転する穴付き平ベルト７５へと吸着搬送されることになる。また、穴付き平ベルト６９、７２の横には棚９６が設けてあり、帳票の落下を防止するようになっている。
【００３５】
長尺帳票８３の先端が光電センサ７９の光軸を通過すると、穴付き平ベルトの駆動を停止させるようになっており、さらに図示しないソレノイドやモータで駆動し奥行き方向に複数個設けた叩きレバー７１、７４、７７により帳票を叩くようになっている。このため、様々な長さの長尺帳票が搬送されても、帳票の先端を集積ポケットの奥側に揃えて集積することが可能となる。
【００３６】
図４は、本発明の第２の実施形態に関するものである。本実施形態では、Ａ３サイズ以下の集積ポケット３、４、５にも吸着部を設けた場合を示してある。なお、図４に示すＯＣＲスキャナの各構成部分のうち、図１に示すそれと同様の部分については、同様の符号を付すことにより詳細説明を省略する（以下の図面についても同様とする）。長尺集積部と同様な動作をさせることにより、長尺集積部と同様にＡ３サイズ以下で様々な長さの帳票を先端揃えで集積することが可能となる。
【００３７】
すなわち、集積ポケット３について説明すると、矢印ｄ方向に回転する穴付き平ベルト８９と、奥行き方向に複数列設けたファン５４と、穴付き平ベルト８９とファン５４の間に設置した多数の長穴をあけた図示しないマスクとで構成した吸着手段により、長尺集積部と同様に集積ポケット内で吸着搬送が可能となる。これにより、続紙が複数枚重ねて糊付けやホチキス止めされたレセプト帳票も、集積ポケットに入った直後に落下することなく奥の側壁まで搬送されるため、続紙の長さが違う帳票が混在していても帳票の先端側で揃えて集積することが可能となる。
【００３８】
次に、取出し動作の方法を図５、図６を用いて詳細に説明する。ここで、図５は正面図、図６は平面図である。
【００３９】
レセプト帳票の大きさや続紙の厚さの違う混在レセプト帳票を供給ユニット装置２の上面８６のバックアップ板８４に持たせかけるように載置する。供給ユニット装置２の給紙台の供給面８６より少し高い位置に供給ベルト群１５が設置されており、帳票８はこの供給ベルト群１５上に載置されることになる。バックアップ板８４は支持部材１０６に支持され、支持部材１０６は図示しない軸受を設けた案内部材１０５に支持され、案内部材１０５は案内シャフト１２により矢印ｌ方向に移動できる構造になっている。支持部材１０６では、つまみ１４を、支持部１０７を回転中心にして矢印ｋ方向に動かすと、図示しない機構により供給ベルト群１５上にあるゴムローラ８５が矢印ｏの上方向に動き供給ベルト群１５から離れるようになっている。ゴムローラ８５はつまみ１４を離すと、供給ベルト群１５と接触し供給ベルト群１５との摩擦力により同じ速度でバックアップ板８４を移動させる役割をしている。従って、レセプト帳票を載置する際は、つまみ１４をつかみバックアップ板８４を案内シャフト１２により矢印ｌ方向の任意の位置に移動させ、つまみ１４を離すとその位置でバックアップ板８４を静止させることができる。帳票が載置されたらモータ１１０およびタイミングベルト１０９で駆動される供給ベルト群１５が駆動されバックアップユニットが取出し部方向に移動する。
【００４０】
供給ベルト群１５の取出し部側にはモータ１１６およびタイミングベルト１１４で駆動される捌きベルト群１６が設けてあり、通常供給ベルト群１５より速い速度で駆動するようにしてある。供給ベルト群１５および捌きベルト群１６は、帳票の積み方や状態によりその動作速度を変化させたり、停止させたり、あるいは後退させたりする制御が行なわれている。
【００４１】
１３５、１３６はゴムで形成されている補助ローラであり連結部材１３７で連結されている。これらが図示しない支持レバー先端に取付けられており、駆動モータとは連結されていない。補助ローラ１３５、１３６は、帳票８に常に接触するように自重およびバックアップ板８４の動きにより矢印ｐ方向に揺動可能な構造になっており、帳票が取出される際に帳票が搬送方向と垂直方向にずれるの防ぐ役割をしている。
【００４２】
モータ１１５およびタイミングベルト１２１で駆動される１次取出しローラ対９は、ローラ９ａ、９ｂからなり、タイミングベルト１１７により駆動される。バックアップユニットの動作により帳票８が１次取出しローラ対９に接触した後、１次取出しローラ対９の回転が開始される。次に、回転し始めるタイミングについて以下に説明する。
【００４３】
１次取出しローラ対９は図５の破線で示すように、図示しない機構によりバックアップユニットの押す力に応じて、矢印ｍ方向に揺動可能な構成になっている。これは、１次取出しローラが帳票を押しつける力をできるだけ一定にした状態で取出しを行うようにするためである。すなわち、揺動可能な１次取出しローラ対９には、その揺動量を検出するための図７に示す２つのセンサユニットが取付けられており、この検出情報により供給ベルト群１５の動作速度すなわちバックアップユニットの動作速度を制御する構成になっている。
【００４４】
図７において、１２２はフォトインタラプタであり、１２３はスリット１２４を設けてある遮光板でスリットが光軸１２５上にあるか否かでフォトインタラプタがｏｎ、ｏｆｆされる。従って、このセンサユニットを２組設けることにより、センサ出力を（ｏｆｆ、ｏｆｆ）、（ｏｆｆ、ｏｎ）、（ｏｎ、ｏｎ）の３種類取出すことができる。これを利用して例えば、バックアップユニットの１次取出しローラへの押し付け力が少ないときを（ｏｆｆ、ｏｆｆ）とした場合供給ベルト群１５の動作速度を速くし、最適な押し付け力のときを（ｏｆｆ、ｏｎ）とした場合供給ベルト群１５の動作速度を所定の最適な速度にし、押し付け力が大きいときを（ｏｎ、ｏｎ）とした場合供給ベルト群１５の動作速度を遅くするか止めるなどの制御を行うようにしてある。このようにすることにより、様々な厚さの帳票が混在していても常にほぼ同じ押し付け力で取出しを行うことができるため、安定した取出しを行うことが可能となる。
【００４５】
２次取出しローラ１０は、ローラ１０ａ、１０ｂからなりタイミングベルト１１８により駆動される。ローラ１０ｂは矢印ｎの方向に揺動可能な構成になっており、複数枚帳票が取り込まれても対応できるようになっている。
【００４６】
光電センサ１０１、１０２、１０３、８８は１次取出しローラ９、２次取出しローラ１０の間欠動作のタイミングおよび帳票間隔を一定に保つために帳票位置をセンシングするためのものでこれにより安定した取出しを行うことが可能となる。
【００４７】
図８は、帳票の姿勢や状態により取出し動作に不具合が発生しないような機構を取り付けた例を示す図である。例えば、帳票を継足して大量の帳票を連続して読取りを行う場合、継足したときの状態によっては図８に示すように帳票先端が揃って捌かれにくい状態になることがある。この状態ではバックアップユニットで後方から帳票を押し付けても、最上部の帳票を１次取出しローラ９ａで取出そうとした場合、先端が揃った複数枚の帳票はこの揃った状態のまま左方向に送られることがある。この場合、１次取出しローラ９ｂの矢印ｍ方向への可変範囲と供給ユニット装置２の上面８６との距離より多い帳票が入り込んだ際は、この複数枚の帳票はこの位置でロックしてしまい取出し不可能になる虞がある。これを防ぐために供給ユニット装置２の給紙台の供給面８６に補助分離機構１２９を設けてある。補助分離機構１２９は、ベース部材１３０にゴムなどの比較的摩擦係数の高い摩擦部材１３１を貼付けてある。
【００４８】
補助分離機構１２９の詳細を図９に示す。図９（ａ）に示すように、ベース部材１３０は回転軸１３３を回転中心として引っ張りバネ１３２により摩擦部材１３１を上方向に押す力を与えている。従って、先端が揃った帳票束の最下面は摩擦部材１３１と接触してブレーキ力が与えられるため、最上面の帳票から取出しが可能となり、やがて図５に示した帳票８のように安定した取出しができる姿勢にすることが可能となる。通常の図５に示すような帳票８の姿勢においては、補助分離機構１２９は供給ユニット装置２の供給面８６と平行になるように押されるため取出しに支障はない。補助分離機構１２９は１次取出しローラ９の直下に１組か、あるいは奥行き方向に複数個設けても良い。また、図９（ｂ）に示すように、デルリン等でできた補助分離部材１４１を帳票供給面８６より少し出すように取付けることにより、同様の効果を持つことが可能となる。
【００４９】
補助分離機構１２９と同様の役割をさせるために図８において、捌きベルト群１６を駆動するタイミングプーリ１１１、１１２のうち、１１１のタイミングプーリの直径を１１２のタイミングプーリの直径より大きくすることにより、捌きベルト群１６に傾斜をつける構成としている。
【００５０】
さらに、補助ローラ１３５、１３６に図７で示したフォトインタラプタを内蔵させることにより帳票の姿勢を検知するようにして、１次取出しローラ９の動作と同様な働きをさせることにより、安定した取り込みを行うことができる。すなわち、連結部材１３７で同じ動作をする補助ローラ１３５、１３６は、図示しない支持部材により支持され、矢印ｐ方向に揺動可能となっており、バックアップ板８４により後方から押された際に帳票の姿勢と共に動作できる構造になっている。例えば、補助ローラ１３５、１３６の傾きが小さい場合、すなわち寝かせたような姿勢になったときにはバックアップ板８４の移動速度を速くし、逆に補助ローラ１３５、１３６の傾きが大きい場合はバックアップ板８４の移動速度を遅くしたり、止めたりする制御を行うことにより安定した取出しを行うことが可能となる。従って、バックアップ板８４が帳票を押し付ける力の程度により、供給ベルト群１５の動作速度および１次取出しローラ９の動作を制御することにより、多種多様な帳票の状態によらず安定した取込みを行うことが可能となる。
【００５１】
図１１は、取出し時に続紙の厚みによる変動の影響を受けずに安定して取出しができるようにしたことを示す図である。すなわち、バックアップ板８４の表面に傾斜を持った形状の部材１３８、１３９を取付けることにより、帳票をバックアップ板８４の表面に対し弓なりの形状にすることができる。従って、傾斜部材１３８の上の続紙がない領域と、続紙がある領域との高さの差を少なくすることができ、１次取出しローラ９での取込みが安定して行うことができる。また、傾斜部材１３９は、帳票を１次取出しローラ９の方向に傾ける役割をするため、安定した取り込みを行うことができる。また、傾斜部材１３８には摩擦シート１４０を１次取出しローラの対向する位置に取付けることにより帳票が少なくなった場合でも安定した取り込みを行うことができる。
【００５２】
図１２は、Ａ３サイズ以上の長尺帳票の不特定な長さをもつ続紙の折り目を除去する機構を示したものである。すなわち、集積部の直前の搬送路上に続紙の折り畳みによる折り目を除去するために、板バネ等でテンション力を与えられた帳票こし付ローラと、対向ローラを１対としたローラ対を同軸上に複数個設けることにより、この位置を通過する続紙の折り目を除去することができる。このため、長尺集積ポケットに集積された際、折り目が付いた続紙部分が伸ばされるため上下に膨らまなくすることが可能となる。この場合のローラ形状は、比較的鋭角にした場合でもフラットにした場合でも同様の効果を得ることができる。
【００５３】
【発明の効果】
以上説明したように本発明によれば、帳票の集積部に帳票を吸着させる機構を設けることにより、長さの違う帳票が混在していても帳票の先端側で揃えた集積が可能となる。
【図面の簡単な説明】
【図１】本発明に係る帳票類処理装置の第１の実施形態の正面図。
【図２】本発明に係る帳票の種類を示す図。
【図３】本発明に係る帳票類処理装置の第１の実施形態の詳細図。
【図４】本発明に係る帳票類処理装置の第２の実施形態の正面図。
【図５】本発明に係る帳票類処理装置の第１および第２の実施形態の詳細正面図。
【図６】本発明に係る帳票類処理装置の第１および第２の実施形態の詳細平面図。
【図７】本発明に係る帳票類処理装置の第１および第２の実施形態のセンサユニット図。
【図８】本発明に係る帳票類処理装置の第１および第２の実施形態の補助分離機構の正面図。
【図９】本発明に係る帳票類処理装置の第１および第２の実施形態の補助分離機構の詳細。図
【図１０】従来の帳票類処理装置の正面図。
【図１１】本発明に係る帳票類処理装置の実施形態のバックアップ板取付け傾斜部材を示す図。
【図１２】本発明に係る帳票類処理装置の実施形態の続紙帳票の折り目除去ローラを示す図。
【符号の説明】
２　供給ユニット
３、４、５、６　集積ポケット
８　レセプト帳票
９　１次取出しローラ
１０　２次取出しローラ
１１　分離ベルト
１３　バックアップユニット
１５　供給ベルト群
１６　捌きベルト群
２３、２８　ＣＣＤセンサ
５４、７０　ファン
５５、６１、６６、７１、７４、７７　叩きレバー
５９、６４、６９、７２、７５、８９　穴付平ベルト
８３　長尺帳票
９８　マスク
【図１】
2004115227.tif 000003
【図２】
2004115227.tif 000004
【図３】
2004115227.tif 000005
【図４】
2004115227.tif 000006
【図５】
2004115227.tif 000007
【図６】
2004115227.tif 000008
【図７】
2004115227.tif 000009
【図８】
2004115227.tif 000010
【図９】
2004115227.tif 000011
【図１０】
2004115227.tif 000012
【図１１】
2004115227.tif 000013
【図１２】
2004115227.tif 000014